(57)【特許請求の範囲】
【請求項１】
走行装置１を有する車台２の上方には脱穀装置３を有し、該脱穀装置３の前方には、分草具４，引起し装置５，刈刃６及び刈取部搬送装置７からなる刈取部Ａと、該刈取部Ａの刈取部搬送装置７の終端部に搬送された穀稈を引き継いで、後方の脱穀装置３に向けて搬送する上下動可能な供給搬送装置８とからなるコンバインにおいて、未刈稈の車台２側への倒伏を防止し、且つ、案内する未刈穀稈案内装置９の前端部を前記刈取部Ａの側部に枢支すると共に、その後端部を機体の後部側に摺動可能に支持し、前記未刈穀稈案内装置９の中途部を回動可能に枢支して連結するとともに、未刈穀稈案内装置９を車台２側への収納状態位置、未刈稈側への張り出し状態位置、及びこれら両状態位置の任意の中間位置にてロックして支持するロック装置１０を有するアーム１１を、車台２側に取り付け、未刈穀稈案内装置９に一定値以上の負荷が作用すると、前記ロック装置１０のロックを解除するロック解除手段１２を設けたことを特徴とするコンバイン。
【発明の詳細な説明】
【０００１】
【発明の属する技術分野】
この発明は、コンバインの穀稈案内装置に関する。
【０００２】
【従来の技術】
従来のコンバインの穀稈案内装置は、実開平３―９２９３４号公報に示されているように、機体の未刈側横側面の略全体にわたり、前部分草杆と後部分草杆から成る分草杆を装備し、前部分草杆と後部分草杆を機体前後中間部で屈折回動自在に連結し、機体の横側面への張り出しに対応して前部分草杆の前端部は枢支され、後端部はスライド可能となっている。また、後部分草杆についても、前端部はスライド可能となっていて、後端部は枢支されている構成である。
【０００３】
【発明が解決しようとする課題】
前述のようなコンバインの穀稈案内装置は、機体の未刈側横側面へ分草杆を張り出して、その位置にて固定した状態にて作業をするが、分草杆に畦や石等の障害物が衝突すると、分草杆が曲がって破損するという欠点があった。
本発明は、このような問題点を解消しようとするものである。
【０００４】
【課題を解決するための手段】
この発明は、上述のような課題を解決するものであつて、次のような構成である。  即ち、走行装置１を有する車台２の上方には脱穀装置３を有し、該脱穀装置３の前方には、分草具４，引起し装置５，刈刃６及び刈取部搬送装置７からなる刈取部Ａと、該刈取部Ａの刈取部搬送装置７の終端部に搬送された穀稈を引き継いで、後方の脱穀装置３に向けて搬送する上下動可能な供給搬送装置８とからなるコンバインにおいて、未刈稈の車台２側への倒伏を防止し、且つ、案内する未刈穀稈案内装置９の前端部を前記刈取部Ａの側部に枢支すると共に、その後端部を機体の後部側に摺動可能に支持し、前記未刈穀稈案内装置９の中途部を回動可能に枢支して連結するとともに、未刈穀稈案内装置９を車台２側への収納状態位置、未刈稈側への張り出し状態位置、及びこれら両状態位置の任意の中間位置にてロックして支持するロック装置１０を有するアーム１１を、車台２側に取り付け、未刈穀稈案内装置９に一定値以上の負荷が作用すると、前記ロック装置１０のロックを解除するロック解除手段１２を設けたことを特徴とするコンバインとしたものである。
【０００５】
【発明の実施の形態】
図１と図２には、本発明の未刈穀稈案内装置９を実施したコンバインが示されている。
走行装置１を有する車台２の上方には脱穀装置３を載置し、該脱穀装置３の前方には、刈取部Ａと供給搬送装置８が設けられている。該刈取部Ａは、分草具４，引起装置５，刈刃６及び刈取部搬送装置７から構成され、さらに、該刈取部Ａの後方に、前記刈取部搬送装置７から搬送されてきた穀稈を引き継いで、脱穀装置３に向けて搬送する供給搬送装置８を設けている。
【０００６】
コンバインの機体に対して植立穀稈の未刈り側であって、未刈穀稈がコンバインの機体側に倒れてきて、刈取部Ａや脱穀装置３へ当接したり、走行装置１で踏んで未刈穀稈を損傷から防止する未刈穀稈案内装置９を設けている。
未刈穀稈案内装置９の前端部は、分草具４を支持している分草具支持杆４ａに縦軸芯１３回りに枢支されていて、その終端部は、車台２に設けている案内棒１４に沿って前後方向に移動可能に支持している。また、未刈穀稈案内装置９は中途部にて二分割されていて、前部案内体９ａと後部案内体９ｂとで構成されている。該前部案内体９ａと後部案内体９ｂとの接続部分は、それぞれが屈曲可能に接続されている。具体的には、輪状体１５にて前部案内体９ａの終端部を遊嵌し、後部案内体９ｂの始端部を遊嵌している構成である。
【０００７】
未刈穀稈案内装置９は、刈取作業中においては、未刈り穀稈側に張り出してロック装置１０にてロックし、路上走行中等の非刈取作業中においては、コンバインの機体側に収納してロックする。また、その両状態の任意の中間位置にても、ロック装置１０にてロック可能な構成となっている。ロック装置１０によるロックの方法について、図３と図４に基づいて説明する。
【０００８】
未刈穀稈案内装置９の後部案内体９ｂ（前部案内体９ａでもよい）には、アーム１１の一端がピン１６にて枢支されていて、他端はピン１７にて車台２（車台２以外に、脱穀装置３や刈取部Ａでもよい）に枢支されている。また、アーム１１の嵌合している筒体１８が、車台２から延出しているアーム１９により、縦軸芯２０で枢支されている。また、筒体１８の一端にはプレート２１が固着されていて、該プレート２１には、ネジ２２の一端がナットにより固定されている。ネジ２２の他端には、引張りスプリング２３の一端が引掛けられていて、該引張りスプリング２３の他端は、プレート２４の一端に引っ掛けられている。プレート２４の中間部には穴２４ａが開いていて、アーム１１が通過している。プレート２４の他端は、筒体１８の他端側に取り付けられているプレート２５の長穴２５ａ内に嵌合している。
【０００９】
従って、プレート２４は引張りスプリング２３の引張り力により、常時筒体１８に傾斜状態で当接すると共に、この傾斜に伴いプレート２４の穴２４ａは、アーム１１と摩擦している構成である。この摩擦力により、アーム１１はロックされているので、該アーム１１から構成されている後部案内体９ｂ、即ち、未刈穀稈案内装置９は動かない。
【００１０】
前述のような構成を備えたコンバインを走行させると、分草具４によって分草されて引起装置５によって引き起こされた穀稈は、刈刃６で刈り取られ、刈取部Ａの刈取部搬送装置７の始端部から終端部へと搬送される。刈取部搬送装置７の終端部まで搬送された穀稈は、供給搬送装置８へ引き継がれて、後方の脱穀装置３へ向けて搬送され、脱穀選別されていく。
【００１１】
このような刈取作業中において、未刈穀稈案内装置９は未刈り穀稈側に張り出してロックする必要がある。そこで、先ず非刈取作業中の未刈穀稈案内装置９のロック状態を解除する。即ち、アーム１１が未刈り穀稈側と機体への収納側に自由に移動可能とする。このため、プレート２４をアーム１１と略直角状態として、該プレート２４とアーム１１との摩擦状態を解除する。この構成について説明する。
【００１２】
筒体１８に対して、引張りスプリング２３と反対方向には、プレート２５があって筒体１８に固着されている。プレート２５には長穴２５ａが開いていて、プレート２４が通過している。従って、プレート２４はアーム１１の移動方向と同じ方向に移動可能となっている。このような構成なのでプレート２４の取っ手２４ｂを、引張りスプリング２３の引張り力に抗して未刈穀稈案内装置９方向に移動させると、プレート２４はアーム１１と略直角状態となる。これにより、プレート２４の穴２４ａとアーム１１との摩擦は解除されるので、該アーム１１は機体側と未刈り穀稈との間で自由な状態となる。
【００１３】
その後、前述の状態を維持したままアーム１１、即ち、未刈穀稈案内装置９を未刈り穀稈側に移動させて、オペレータの希望する任意の位置にて再びロック状態とする。任意の位置にてロックできるので、圃場の大きさや植立穀稈の状態に応じた位置にセットできる。
このように、未刈穀稈案内装置９を未刈り穀稈側に移動させて、刈取作業を行なっていく。これにより、未刈り穀稈が機体側に倒れてきて、機体や走行装置１に巻き込まれて損傷するのを防止できる。しかしながら、畦や石等が未刈穀稈案内装置９に当たると、該未刈穀稈案内装置９は破損してしまう。そこで、本発明では、このような異常な負荷が未刈穀稈案内装置９に作用した時は、ロック状態を解除するロック解除手段１２を設ける構成とする。該ロック解除手段１２について説明する。
【００１４】
未刈穀稈案内装置９に異常な負荷が作用すると、アーム１１は機体側に移動するが、この時プレート２４は、機体側に固定されている筒体１８と一体のプレート２５の穴２５ａ内を一緒に移動していく。これは、プレート２４の穴２４ａとアーム１１が摩擦しているからである。その後、プレート２４がプレート２５の穴２５ａの端部までくると、プレート２４の取っ手２４ｂ側の動きは止まる。しかし、プレート２４の引張りスプリング２３が作用している側はアーム１１との摩擦力のため動き続ける。そして、プレート２４がアーム１１と略直角状態となると、摩擦力はなくなるので、アーム１１、即ち、未刈穀稈案内装置９は負荷が作用した力により機体側へと移動する。これにより、未刈穀稈案内装置９の破損を防止できる。
【００１５】
次に、図５と図６について説明する。
図１で示したように、未刈穀稈案内装置９の前部案内体９ａと後部案内体９ｂとの接続は、輪状体１５により接続していた。しかしながら、このような輪状体１５は、未刈り穀稈に接触すると未刈り穀稈がひっかかり、穀粒が脱粒する等の不具合を発生させる可能性がある。そこで、前部案内体９ａと後部案内体９ｂは弾性体２６で接続するようにする。
【００１６】
単に接続するだけでは弾性体２６が抜けるので、ロールピン２７を打ち込み、さらに、弾性体２６内には金属性の輪状体２８を埋め込んでいて、該輪状体２８にロールピン２７がひっかかる構成としている。従って、弾性体２６は前部案内体９ａと後部案内体９ｂから抜けることなく、しかも、弾性体２６の破損も防止できる。
【００１７】
前述のごとく、前部案内体９ａと後部案内体９ｂは弾性体２６にて接続するようにしたので、未刈り穀稈が接触しても穀粒の脱粒や破損を防止できる。
【００１８】
【発明の効果】
本発明は上述のごとく、未刈穀稈案内装置９を車台２側に収納してなる状態と、未刈稈側に張り出してなる状態と、及びこれら両状態の任意の間にてロックして支持するロック装置１０を有するアーム１１を、車台２や刈取部Ａや脱穀装置３に取り付け、未刈穀稈案内装置９に一定値以上に負荷が作用すると、前記ロック装置１０のロックを解除するロック解除手段１２を設ける構成としたので、未刈穀稈案内装置９の破損を防止できる。
【図面の簡単な説明】
【図１】  コンバインの左側面図
【図２】  コンバインの平面図
【図３】  一部の平面図
【図４】  断面図
【図５】  断面図
【図６】  断面図
【符号の説明】
Ａ…刈取部、
１…走行装置、２…車台、３…脱穀装置、４…分草具、４ａ…分草具支持杆、５…引起し装置、６…刈刃、７…刈取部搬送装置、８…供給搬送装置、９…未刈穀稈案内装置、９ａ…前部案内体、９ｂ…後部案内体、１０…ロック装置、１１…アーム、１２…ロック解除手段、１３…縦軸芯、１４…案内棒、１５…輪状体、１６…ピン、１７…ピン、１８…筒体、１９…アーム、２０…縦軸芯、２１…プレート、２２…ネジ、２３…引張りスプリング、２４…プレート、２４ａ…穴、２４ｂ…取っ手、２５…プレート、２５ａ…穴、２６…弾性体、２７…ロールピン、２８…輪状体。
【図１】
0003692619.tif 000002
【図２】
0003692619.tif 000003
【図３】
0003692619.tif 000004
【図４】
0003692619.tif 000005
【図５】
0003692619.tif 000006
【図６】
0003692619.tif 000007